(57)【特許請求の範囲】
【請求項１】
少なくとも２層に配置された商品用の板紙カートンであって、該板紙カートンは、
上部パネル（１３）と、
底部パネル（１６）と、
向き合あわせて配置された１対の側部パネル（１４，１５）と、
向き合わせて配置された１対の端パネル構造部と、
商品の隣接層の間に設けられて、一端部で該端パネル構造部に対して固着される仕切りパッド（１１）と、
を有し、
該側部パネルの一方（１５）は、該一端部に隣接した切り取り部分（３３）を有し、それにより、主弱め線（２５）によって、該１つの端パネル構造部を下にして該カートンを立てたとき、商品取り出し用のロールアウト穴を画定するようになっており、
該切り取り部分（３３）は、該上部及び底部パネル（１３，１６）内に延びる該主弱め線（２５）の部分によって形成され、該上部及び底部パネル（１３，１６）内に延在する延出部（２７，２６）を有し、
補助弱め線（４２）が、該延出部（２７，２６）を形成する該主弱め線（４２）の各々の部分から、該１つの端パネル構造部に隣接する該上部及び底部パネル（１３，１６）の端縁部まで延びている、板紙カートン。
【請求項２】
各端パネル構造部は、それぞれ前記上部及び底部パネル（１３，１６）にヒンジ接続された１対の向き合わせて配置された主端フラップ（２１，２２）を組み込む、請求項１に記載のカートン。
【請求項３】
前記延出部（２７，２６）に隣接した前記各補助弱め線（４２）の開始点は、前記上部及び底部パネル（１３，１６）の端縁部に位置する該弱め線の終点（４３）より、該上部及び底部パネル（１３，１６）の側縁部（４０，４１）に近い、請求項２に記載のカートン。
【請求項４】
前記各補助弱め線（４２）は、蛇行形である、請求項３に記載のカートン。
【請求項５】
前記各補助弱め線（４２）は、隣接した前記主端フラップ（２１，２２）内へ続いている、請求項３又は４に記載のカートン。
【請求項６】
前記各補助弱め線（４２）の延長部分（４４）は、該側縁部に向かって戻るように傾斜し、横方向Ｔ字形カット（４５）で終端している、請求項５に記載のカートン。
【請求項７】
前記Ｔ字形カット（４５）の直立部分（４７）は、前記側縁部（４０，４１）に平行であり、該Ｔ字形カット（４５）の横棒（４６）は、該端縁部に平行である、請求項６に記載のカートン。
【請求項８】
前記各補助弱め線（４２）は、多数の破断可能な保持ブリッジを設けたカットを有する、請求項１〜７のいずれか１項に記載のカートン。
【請求項９】
前記仕切りパッド（１１）は、他方の端パネル構造部に対して固着されている、請求項１〜８のいずれか１項に記載のカートン。
【請求項１０】
前記仕切りパッド（１１）は、折り曲げられた接着パネル（３０）を前記端部に有する、請求項１〜９のいずれか１項に記載のカートン。
【請求項１１】
前記上部パネル主端フラップ（２１）は、最後に折り曲げられ、折り曲げられた接着パネル（３０）に接着される、請求項１〜１０のいずれか１項に記載のカートン。
【請求項１２】
前記側部パネル（１４，１５）は、ぞれぞれ該側部パネルにヒンジ接続された側部パネル端フラップ（１９，２０）を有し、一直線状の接着剤（３２）が、前記上部パネル主端フラップ（２１）を前記底部パネル主端フラップ（２２）、該側部パネル端フラップ（１９，２０）、及び折り曲げられた接着パネル（３０）に取り付ける接着を行う、請求項１１に記載のカートン。
【請求項１３】
前記底部パネル主端フラップ（２２）は、中央突出領域（２３）を有し、それにより、前記直線状の接着剤（３２）は、前記側部パネル端フラップ（１９，２０）の一方、前記接着パネル（３０）、該底部パネル主端フラップ（２２）の該中央突出領域（２３）、該折り曲げられた接着パネル（３０）及び前記側部パネル端フラップ（１９，２０）の一つの上に順に与えられる、請求項１２に記載のカートン。
【請求項１４】
前記カートンは平行六面体である、請求項１〜１３のいずれか１項に記載のカートン。
【請求項１５】
板紙カートンを形成するためのブランク（１０）であって、該ブランク（１０）は、複数のパネルと切り取り部分（３３）と第１の補助弱め線と第２の補助弱め線とを有し、
該複数のパネルは、上部パネル（１３）と底部パネル（１６）と第１の側部パネルと第２の側部パネルからなり、
該切り取り部分（３３）は、少なくとも部分的に該切り取り部分（３３）を該ブランクから分離するために少なくとも部分的に主弱め線（２５）によって画定され、
該切り取り部分（３３）は、該側部パネルの一つ（１５）の少なくとも一部と、該上部パネル（１３）内に延出する該主弱め線（２５）の少なくとも一部によって形成され、該上部パネル（１３）の少なくとも一部に延出する、上部パネル延出部（２７）と、該底部パネル（１６）内に延出する該主弱め線（２５）の少なくとも一部によって形成され、該底部パネル（１６）の少なくとも一部に延出する、底部パネル延出部（２６）とを有し、
該第１の補助弱め線（４２）は、該上部パネル（１３）延出部（２７）を形成する該主弱め線（２５）の一部から該上部パネル（１３）の端部まで延び、
該第２の補助弱め線（４２）は、該底部パネル（１６）延出部（２６）を形成する該主弱め線（２５）の一部から該底部パネル（１６）の端部まで延びる、
板紙カートンを形成するためのブランク。
【請求項１６】
前記ブランクは、複数の端フラップを更に含み、
該端フラップは、前記上部パネル（１３）の向かい合う端部にそれぞれヒンジ接続する上部端フラップ（２１）と、前記第1と第２の側部パネル（１４，１５）のそれぞれの向かい合う端部にそれぞれヒンジ接続する側部端フラップ（１９，２０）と、前記底部パネル（１６）の向かい合う端部にそれぞれヒンジ接続された底部端フラップ（２２）とを含む、請求項１５に記載のブランク。
【請求項１７】
前記側部パネルの一つ（１５）は、前記側部パネル（１５）と前記底部パネル（１６）を折り曲げ可能に接続する折り線に対応する１つの側縁部（４１）と、該側部パネル（１５）と前記上部パネル（１３）を接続する折り線に対応する１つの側縁部（４０）を含む、請求項１６に記載のブランク。
【請求項１８】
前記上部パネル（１３）と前記底部パネル（１６）はそれぞれが折り線に対応する端縁部を有し、該折り線は、該上部パネル（１３）及び該底部パネル（１６）の一つを上部端フラップ（２１）及び底部端フラップ（２２）の対応する一つに折り曲げ可能に接続し、
各延出部（２６，２７）に隣接する前記補助弱め線（４２）の各開始点は、それぞれの該上部パネル（１３）及び前記底部パネル（１６）の端縁部における該補助弱め線（４２）の端部（４３）より、該側部パネル（１５）のそれぞれの側縁部（４０、４１）に近い、請求項１７に記載のブランク。
【請求項１９】
各補助弱め線（４２）は、それぞれ上部端フラップ（２１）及び底部端フラップ（２２）のいずれかまで延びている、請求項１８に記載のブランク。
【請求項２０】
上部端フラップ（２１）及び底部端フラップ（２２）のそれぞれの各補助弱め線（４２）は、それぞれ側縁部に向けて折り返され、横断するＴ字カット（４５）で終端している、請求項１９に記載のブランク。
【請求項２１】
前記Ｔ字カット（４５）は、それぞれの側縁部（４０，４１）に平行な直立部（４７）と、それぞれの端縁部に平行な横棒部（４６）とからなる、請求項２０に記載のブランク。
【請求項２２】
各補助弱め線（４２）は蛇行形である、請求項１５に記載のブランク。
【請求項２３】
各補助弱め線（４２）は、多数の破断可能な保持ブリッジを設けたカットからなる、請求項１５に記載のブランク。
【請求項２４】
各底部端フラップ（２２）は、該底部端フラップ（２２）の隣接する自由縁（２４）より突出する中央突出領域（２３）を有する、請求項１６に記載のブランク。
【請求項２５】
前記切り取り部分（３３）は、前記側部パネル（１４、１５）の一つ（１５）の一部と前記上部パネル（１３）内の延出部（２７）及び底部パネル（１６）内の延出部（２６）からなり、
該側部パネル（１５）の一部は、該切り取り部分（３３）に隣接するとともに、前記ロールアウト穴を通して商品が排出されることを抑制するための停止壁（２８）を該切り取り部分（３３）の下に形成する、
請求項１に記載のカートン。
【請求項２６】
前記延出部（２７，２６）のそれぞれから延出している前記補助弱め線（４２）のそれぞれの端部（４３）は、前記停止壁（２８）を回動させて前記ロールアウト穴を拡大させる回動線を形成する、請求項２５に記載のカートン。
【請求項２７】
前記上部パネル（１３）と前記底部パネル（１６）は、それぞれ前記側部パネルの一つ（１５）とそれぞれの折り線（４０，４１）において折り曲げ可能に接続し、
前記主弱め線（２５）のぞれぞれの部分は、ぞれぞれの前記折り線（４０，４１）と交差する点の間で曲がって延在し、該上部パネル（１３）及び該底部パネル（１６）内の前記延出部（２７、２６）の一つを画定している、請求項２５に記載のカートン。
【請求項２８】
前記主弱め線（２５）は、前記上部パネル（１３）、前記底部パネル（１６）、前記側部パネル（１５）の残りの部分によって囲まれた閉じた曲線形状を画定する、請求項１に記載のカートン。
【請求項２９】
前記側部パネル（１５）の前記切り取り部分（３３）は、該側部パネル（１５）の第１及び第２の残りの部分を画定し、該第１及び第２の残りの部分は該側部パネル（１５）の該切り取り部分（３３）によって互いに分離され、それによって、該第１及び第２の残りの部分は向かい合う端部が接触しない関係である、請求項１５に記載のカートン。
【請求項３０】
少なくとも２層に配置された商品用の板紙カートンであって、該板紙カートンは、
上部パネル（１３）と、
底部パネル（１６）と、
向き合あわせて配置された１対の側部パネル（１４、１５）と、
向き合わせて配置された１対の端パネル構造部であって、ぞれぞれの端パネル構造部は、該上部パネル（１３）と該底部パネル（１６）それぞれにヒンジ接続された、向き合わせて配置された１対の主端フラップ（２１，２２）を含む、１対の端パネル構造部と、
商品の隣接層の間に設けられて、一端部で該端パネル構造部に対して固着される仕切りパッド（１１）と、
を有し、
該側部パネルの一方（１５）は、該一端部に隣接した切り取り部分（３３）を有し、それにより、主弱め線（２５）によって、該１つの端パネル構造部を下にして該カートンを立てたとき、商品取り出し用のロールアウト穴を画定するようになっており、
該切り取り部分（３３）は、該上部パネル（１３）及び底部パネル（１６）内に延出する、延出部（２７，２６）を有し、
補助弱め線（４２）が、各該延出部（２７，２６）を形成する該主弱め線（２５）の各部分から、隣接する該上部パネル（１３）及び該底部パネル（１６）の端縁部まで延びさらに該端縁部を通って隣接する主端フラップ（２１，２２）まで延びている、
板紙カートン。
【請求項３１】
少なくとも２層に配置された商品用の板紙カートンであって、該板紙カートンは、
上部パネル（１３）と、
底部パネル（１６）と、
向き合あわせて配置された１対の側部パネル（１４，１５）と、
向き合わせて配置された１対の端パネル構造部と、
商品の隣接層の間に設けられて、一端部で該端パネル構造部に対して固着される仕切りパッド（１１）と、
を有し、
該側部パネルの一方（１５）は、該一端部に隣接した切り取り部分（３３）を有し、それにより、主弱め線（２５）によって、該１つの端パネル構造部を下にして該カートンを立てたとき、商品取り出し用のロールアウト穴を画定するようになっており、
該切り取り部分（３３）は、該上部パネル（１３）及び底部パネル（１６）内に延びる主弱め線（２５）の部分によって形成され、該上部パネル（１３）及び底部パネル（１６）に延在する、延出部（２７，２６）を有し、
ぞれぞれの該端パネル構造部は、該上部パネル（１３）と該底部パネル（１６）それぞれにヒンジ接続され、向き合わせて配置された１対の主端フラップ（２１，２２）を含み、
補助弱め線（４２）が、該延出部（２７、２６）を形成する該主弱め線（２５）の各々の部分から、隣接する該上部パネル（１３）及び底部パネル（１６）の端縁部まで延び、さらに、隣接する該主端フラップ（２１，２２）まで延び、
該補助弱め線（４２）は蛇行形状を有し、該延出部（２７，２６）に隣接した該各補助弱め線（４２）の開始点は、該上部パネル（１３）及び底部パネル（１６）の端縁部に位置する該補助弱め線（４２）の終点（４３）より、該上部パネル（１３）及び底部パネル（１６）の側縁部に近い、
板紙カートン。
【請求項３２】
前記各補助弱め線（４２）の延長部分（４４）は、該側縁部に向かって戻るように傾斜し、横方向Ｔ字形カット（４５）で終端している、請求項３１に記載のカートン。
【請求項３３】
前記Ｔ字形カット（４５）の直立部分（４７）は、前記側縁部に平行であり、該Ｔ字形カット（４５）の横棒（４６）は、該端縁部に平行である、請求項６に記載のカートン。
【請求項３４】
少なくとも２層に配置された商品用の板紙カートンであって、該板紙カートンは、
上部パネル（１３）と、
底部パネル（１６）と、
向き合あわせて配置された１対の側部パネル（１４，１５）と、
向き合わせて配置された１対の端パネル構造部と、
商品の隣接層の間に設けられて、一端部で該端パネル構造部に対して固着される仕切りパッド（１１）と、
を有し、
該側部パネルの一方（１５）は、該一端部に隣接した切り取り部分（３３）を有し、それにより、主弱め線（２５）によって、該１つの端パネル構造部を下にして該カートンを立てたとき、商品取り出し用のロールアウト穴を画定するようになっており、
該切り取り部分（３３）は、該上部パネル（１３）及び底部パネル（１６）内に延びる主弱め線（２５）の部分によって形成され、該上部パネル（１３）及び底部パネル（１６）内に延在する、延出部（２７，２６）を有し、
該切り取り部分（３３）は、該側部パネル（１４，１５）の一つ（１５）の一部と該上部パネル（１３）内の延出部（２７）及び該底部パネル（１６）内の延出部（２６）からなり、
該側部パネル（１５）の一部は、該切り取り部分（３３）に隣接するとともに、前記ロールアウト穴を通して商品が排出されることを抑制するための停止壁（２８）を該切り取り部分（３３）の下に形成する、
補助弱め線（４２）が、該延出部（２７、２６）を形成する前記主弱め線（２５）の各々の部分から、隣接する該上部パネル（１３）及び底部パネル（１６）の端縁部まで延びる、
板紙カートン。
【請求項３５】
前記延出部（２６，２７）から延出している前記補助弱め線（４２）のそれぞれの端部（４３）は、前記停止壁（２８）を回動させて前記ロールアウト穴を拡大させる回動線を形成する、請求項３４に記載のカートン。
【請求項３６】
少なくとも２層に配置された商品用の板紙カートンであって、該板紙カートンは、
上部パネル（１３）と、
底部パネル（１６）と、
向き合あわせて配置された１対の側部パネル（１４，１５）と、
向き合わせて配置された１対の端パネル構造部と、
商品の隣接層の間に設けられて、一端部で該端パネル構造部に対して固着される仕切りパッド（１１）と、
を有し、
該側部パネルの一方（１５）は、該一端部に隣接した切り取り部分（３３）を有し、それにより、主弱め線（２５）によって、該１つの端パネル構造部を下にして該カートンを立てたとき、商品取り出し用のロールアウト穴を画定するようになっており、
該切り取り部分（３３）は、該上部パネル（１３）及び底部パネル（１６）内に延びる主弱め線（２５）の部分によって形成され、該上部パネル（１３）及び底部パネル（１６）内に延在する、延出部（２７，２６）を有し、
該上部パネル（１３）と該底部パネル（１６）は、それぞれ該側部パネルの一つ（１５）とそれぞれの折り線（４０，４１）において折り曲げ可能に接続し、
該主弱め線（２５）のぞれぞれの部分は、ぞれぞれの該折り線（４０，４１）と交差する点の間で曲がって延在し、該上部パネル（１３）及び該底部パネル（１６）内の該延出部（２７、２６）の一つを画定している、
補助弱め線（４２）が、該延出部（２７、２６）を形成する前記主弱め線（２５）の各々の部分から、隣接する該上部パネル（１３）及び底部パネル（１６）の端縁部まで延びる、
板紙カートン。
【請求項３７】
板紙カートンであって、該板紙カートンは、
内部空間を画定する複数の接続されたパネルであって、
該複数の接続されたパネルは、第１の側端部（４１）と第２の側端部（４０）を含む側部パネル（１５）と、該第１の側端部（４１）に沿って該側部パネル（１５）と接続される底部パネル（１６）と、該第２の側端部（４０）に沿って該側部パネル（１５）と接続される上部パネル（１３）と、を含み、該側部パネル（１５）と該上部パネル（１３）と該底部パネル（１６）はそれぞれカートンの端部に端縁部を有する、複数の接続されたパネルと、
該側部パネル（１５）内、底部パネル（１６）内及び上部パネル（１６）内の主弱め線（２５）によって画定された切り取り部分（３３）と、
該底部パネル（１６）内の該主弱め線（２５）の一部から該底部パネル（１６）の端縁部まで延在する第１の補助弱め線（４２）と、
該上部パネル（１３）内の該主弱め線（２５）の一部から該上部パネル（１３）の端縁部まで延在する第２の補助弱め線（４２）と
を含み、
該主弱め線（２５）は、該側部パネル（１３）を横切って延在する最端部であって、該側部パネル（１５）の端縁部に平行であると共に、該端縁部から距離を有して延在する最端部を含み、
該第１の補助弱め線（４２）は、該底部パネル（１６）の該端縁部上の点（４３）よりも、該底部パネル（１６）内の該主弱め線（２５）上の点のほうが、該側部パネル（１３）の該第１の側端部（４１）に近く、
該第２の補助弱め線（４２）は、該上部パネル（１３）の該端縁部上の点（４３）よりも、該上部パネル（１３）内の該主弱め線（２５）上の点のほうが、該側部パネル（１３）の該第２の側端部（４０）に近い、
板紙カートン。
【請求項３８】
前記第１の補助弱め線（４２）及び前記第２の補助弱め線（４２）は、蛇行形状を有する、請求項３７に記載のカートン。
【請求項３９】
前記複数の接続されたパネルは、前記底部パネル（１６）の前記端縁部に折り曲げ可能に接続された底部端フラップ（２２）と、前記上部パネル（１３）の前記端縁部に折り曲げ可能に接続された上部端フラップ（２１）をさらに有する、請求項３７又は３８に記載のカートン。
【請求項４０】
前記第１の補助弱め線（４２）の延長部分が前記底部端フラップ（２２）内に延在し、前記第２の補助弱め線（４２）の延長部分が前記上部端フラップ（２１）内に延在する、請求項３９に記載のカートン。
【請求項４１】
前記底部端フラップ（２２）は、前記底部パネル（１６）の前記端縁部に平行であって該端縁部から離れている端縁部（２４）と、該底部端フラップ（２２）の該端縁部（２４）と該底部パネル（１６）の端縁部の間に延在する側縁部を含み、
前記上部端フラップ（２１）は、前記上部パネル（１３）の前記端縁部に平行であって該端縁部から離れている端縁部と、該上部端フラップ（２１）の該端縁部と該上部パネル（１３）の端縁部の間に延在する側縁部を含む、
請求項３９又は４０に記載のカートン。
【請求項４２】
前記第１の補助弱め線（４２）の延長部分は、
前記底部端フラップ（２２）の前記側端部に向かって斜めに延びている第１の部分と、
該第１の部分の端点から前記底部端フラップ（２２）の前記端縁部に向かって延びている第２の部分と、
該底部パネル（１６）の該端縁部に平行な第３の部分であって、該第１の部分の該端点と交差し該底部端フラップ（２２）の該側端部まで延在している、第３の部分を、
有し、
前記第２の補助弱め線（４２）の延長部分は
前記上部端フラップ（２１）の前記側端部に向かって斜めに延びている第１の部分と、
該第１の部分の端点から前記上部端フラップ（２１）の前記端縁部に向かって延びている第２の部分と、
該上部パネル（１３）の該端縁部に平行な第３の部分であって、該第１の部分の該端点と交差し該上部端フラップ（２１）の該側端部まで延在している、第３の部分を、
有する、
請求項４１に記載のカートン。
【請求項４３】
前記内部空間は、少なくとも２層に配置された複数の製品を収容することができ、
前記カートンは主パネル（２９）を有する仕切りパッド（１１）を含み、該主パネル（２９）は該２層の製品の間に配置され、前記底部パネル（１６）と前記上部パネル（１３）の少なくとも一つと平行である、
請求項３７乃至４２のいずれかに記載のカートン。
【請求項４４】
前記側部パネルは第１の側部パネル（１５）であり、
前記内部空間を画定する前記複数の接続されたパネルは、さらに前記上部パネル（１３）に接続された第２の側部パネル（１４）を含み、前記第１の側部パネル（１５）と該第２の側部パネル（１４）は互いに向き合うように配置される、
請求項３７乃至４３のいずれかに記載のカートン。
【請求項４５】
板紙カートンを形成するブランクであって、
該ブランクは、複数のパネルと、少なくとも一部分は主弱め線（２５）に画定され該ブランクから少なくとも部分的に分離される切り取り部分（３３）と、第１の補助弱め線（４２）と、第２の補助弱め線（４２）を有し、
該複数のパネルは、上部パネル（１３）と、底部パネル（１６）と、第１の側部パネルと、第２の側部パネルと、該上部パネル（１３）の向かい合う端部にそれぞれヒンジ接続される上部端フラップ（２１）と、該第１の側部パネルと該第２の側部パネルの向かい合う端部にそれぞれヒンジ接続される側部端フラップ（２０）と、該底部パネル（１６）の向かい合う端部にヒンジ接続される底部端フラップ（２２）、を含み、
該第１の側部パネルと該第２の側部パネルの一つ（１５）は、該側部パネル（１５）と該底部パネル（１６）を折り曲げ可能に接続する折り曲げ線（４１）に対応する側端部と、該側部パネル（１５）と該上部パネル（１３）を折り曲げ可能に接続する折り曲げ線（４０）に対応する側端部と、を有し、
該切り取り部分（３３）は、該側部パネル（１５）の一つの少なくとも一部と、該上部パネル（１３）の少なくとも一部に延出し、該上部パネル（１３）内に延出する該主弱め線（２５）の少なくとも一部によって形成される、上部パネル延出部（２７）と、該底部パネル（１６）の少なくとも一部に延出し、該底部パネル（１６）内に延出する該主弱め線（２５）の少なくとも一部によって形成される、底部パネル延出部（２６）と、を含み、
該第１の補助弱め線（４２）は、該上部パネル延出部（２７）を形成する該主弱め線（２５）の一部から該上部パネル（１３）の縁部まで延在し、
該第２の補助弱め線（４２）は、該底部パネル延出部（２６）を形成する該主弱め線（２５）の一部から該底部パネル（１６）の縁部まで延出し、
該上部パネル（１３）は、該上部パネル（１３）と上部端フラップ（２１）を折り曲げ可能に接続する折り曲げ線に対応する端縁部を有し、
該底部パネル（１６）は、該底部パネル（１６）と底部端フラップ（２２）を折り曲げ可能に接続する折り曲げ線に対応する端縁部を有し、
前記第１及び第２の補助弱め線（４２）は、それぞれ、該上部端フラップ（２１）、該底部端フラップ（２２）内に延出し、
該延出部（２７，２６）に隣接した該各補助弱め線（４２）の開始点は、それぞれの端縁部に位置する該弱め線の終点（４３）より、該側部パネル（１５）のそれぞれの側縁部に近い、
ブランク。
【請求項４６】
前記上部端フラップ（２１）及び前記底部端フラップ（２２）のそれぞれの各補助弱め線は、それぞれ側縁部に向けて折り返され、横断するＴ字カットで終端している、請求項４５に記載のブランク。
【請求項４７】
前記Ｔ字カット（４５）は、それぞれの側縁部に平行な直立部（４７）と、それぞれの端縁部に平行な横棒部（４６）とからなる、請求項４６に記載のブランク。
【請求項４８】
カートンを形成するブランクであって、
該ブランクは、側部パネル（１５）と底部パネル（１６）と上部パネル（１３）を含む折り曲げ可能に接続された複数のパネルと、閉じた曲線形状を有する主弱め線（２５）と、該底部パネル（１６）内の補助弱め線（４２）と、該上部パネル（１３）内の補助弱め線（４２）を有し、
該底部パネル（１６）が第１の方向に延在する第１の折り線（４１）に沿って該側部パネル（１５）と接合し、該上部パネル（１３）が該第１の方向に延在する第２の折り線（４０）に沿って該側部パネル（１５）と接合することによって、該側部パネル（１５）は該底部パネル（１６）と該上部パネル（１３）の間に配置され、
該底部パネル（１６）、該上部パネル（１３）、該側部パネル（１５）のそれぞれは、該第１の方向と直交する第２の方向に延在する端縁部を有し、
該主弱め線（２５）は、該側部パネル（１５）、該底部パネル（１６）、及び、該上部パネル（１３）の切り取り部分（３３）を画定し、該側部パネル（１５）内の該主弱め線（２５）の一部分は、該側部パネル（１５）の該端縁部に対して平行であると共に、該端縁部から離れて位置し、
該底部パネル（１６）内の該補助弱め線（４２）は、該底部パネル（１６）内の主弱め線（２５）に沿った第１の端点と、該底部パネル（１６）の端縁部に沿った第２の端点（４３）とを有し、該第１の端点と該第１の折り曲げ線（４１）との距離は、該第２の端点（４３）と該第１の折り曲げ線（４１）との距離よりも短く、
該上部パネル（１３）内の該補助弱め線（４２）は、該上部パネル（１３）内の主弱め線（２５）に沿った第１の端点と、該上部パネル（１３）の端縁部に沿った第２の端点（４３）とを有し、該第１の端点と該第２の折り曲げ線（４０）との距離は、該第２の端点（４３）と該第２の折り曲げ線（４０）との距離よりも短い、
ブランク。
【請求項４９】
前記第１の補助弱め線（４２）及び前記第２の補助弱め線（４２）は、蛇行形状を有する、請求項４８に記載のカートン。
【請求項５０】
前記複数の折り曲げ可能に接続されたパネルは、前記底部パネル（１６）の前記端縁部に折り曲げ可能に接続された底部端フラップ（２２）と、前記上部パネル（１３）の前記端縁部に折り曲げ可能に接続された上部端フラップ（２１）をさらに有する、請求項４８又は４９に記載のカートン。
【請求項５１】
前記第１の補助弱め線（４２）の延長部分が前記底部端フラップ（２２）内に延在し、前記第２の補助弱め線（４２）の延長部分が前記上部端フラップ（２１）内に延在する、請求項５０に記載のカートン。
【請求項５２】
前記底部端フラップ（２２）は、前記底部パネル（１６）の前記端縁部に平行であって該端縁部から離れている端縁部と、該底部端フラップ（２２）の該端縁部と該底部パネル（１６）の端縁部の間に延在する側縁部を含み、
前記上部端フラップ（２１）は、前記上部パネル（１３）の前記端縁部に平行であって該端縁部から離れている端縁部と、該上部端フラップ（２１）の該端縁部と該上部パネル（１３）の端縁部の間に延在する側縁部を含む、
請求項５０又は５１に記載のカートン。
【請求項５３】
前記第１の補助弱め線（４２）の延長部分は、
前記底部端フラップ（２２）の前記側端部に向かって斜めに延びている第１の部分と、
該第１の部分の端点から前記底部端フラップ（２２）の前記端縁部に向かって延びている第２の部分と、
該底部パネル（１６）の該端縁部に平行な第３の部分であって、該第１の部分の該端点と交差し該底部端フラップ（２２）の該側端部まで延在している、第３の部分を、
有し、
前記第２の補助弱め線（４２）の延長部分は
前記上部端フラップ（２１）の前記側端部に向かって斜めに延びている第１の部分と、
該第１の部分の端点から前記上部端フラップ（２１）の前記端縁部に向かって延びている第２の部分と、
該上部パネル（１３）の該端縁部に平行な第３の部分であって、該第１の部分の該端点と交差し該上部端フラップ（２１）の該側端部まで延在している、第３の部分を、
有する、
請求項５２に記載のカートン。
【請求項５４】
前記側部パネルは第１の側部パネル（１５）であり、
前記複数の折り曲げ可能に接続されたパネルは、前記第１の方向に延在する第３の折り曲げ線にそって、前記上部パネル（１３）に接続された第２の側部パネル（１４）をさらに含み、該上部パネル（１３）は、該第１の側部パネル（１５）と該第２の側部パネル（１４）の間に配置される、
請求項４８乃至５３のいずれかに記載のカートン。
【発明の詳細な説明】
【技術分野】
【０００１】
本発明は、分配パッケージに、また排他的ではないが特に、食品及び飲料などの缶詰製品用の分配パッケージに関する。
【０００２】
一般的に、缶詰めされた食品／飲料製品は、板紙又は段ボール製の浅いトレイに入れ、プラスチックフィルムで収縮包装された状態で供給される。多くの場合、多数のこれらの収縮包装トレイが、スーパーマーケットの棚の上で上下に積み重ねられている。トレイは通常、最も広幅の表面を下にして積み重ねられ、これは、特に１つのトレイだけが棚の上にある場合、空間効率に欠けると見なされるであろう。また、収縮包装は、製品の差別化を助けることに効果的ではない。
【背景技術】
【０００３】
本願と同時係属中の国際特許出願第ＰＣＴ／ＧＢ２００３／００３３５１号では、少なくとも２層に配置された商品用の板紙カートンであって、上部パネルと、底部パネルと、向き合あわせて配置された１対の側部パネルと、向き合わせて配置された１対の端パネル構造部と、商品の隣接層の間に設けられて、一端部で端パネル構造部に対して固着される仕切りパッドとを有し、側部パネルの一方が、その一端部に隣接して切り取り部分を有し、それにより、その１つの端パネル構造部を下にしてカートンを置いたとき、商品取り出し用のロールアウト穴を画定するようになっている板紙カートンが提供されている。一部の実施形態では、１つ又は複数のカットが、切り取り部分から隣接端部まで部分的に延びている。好都合には、これらのカットの２つが、それぞれ上記１つの側部パネルと上部パネル及び底部パネルとの間の折り目に沿って延びており、また、そのカット又は各カットの、切り取り部分から遠い端部に、横方向カットも設けられている。
【発明の開示】
【課題を解決するための手段】
【０００４】
本発明によれば、少なくとも２層に配置された商品用の板紙カートンであって、上部パネルと、底部パネルと、向き合あわせて配置された１対の側部パネルと、向き合わせて配置された１対の端パネル構造部と、商品の隣接層の間に設けられて、一端部で端パネル構造部に対して固着される仕切りパッドとを有し、側部パネルの一方は、その一端部に隣接した切り取り部分を有し、それにより、主弱め線によって、その１つの端パネル構造部を下にして該カートンを立てたとき、商品取り出し用のロールアウト穴を画定するようになっており、また切り取り部分は、上部及び底部パネル内に延びる延出部を有し、補助弱め線が、延出部の各々からそれぞれ上部及び底部パネルの隣接端縁部まで延びている、板紙カートンが提供されている。
【０００５】
好ましくは、各端パネル構造部は、それぞれ上部及び底部パネルにヒンジ接続された１対の向き合わせて配置された主端フラップを組み込む。好適な構造では、延出部に隣接した各補助弱め線の開始点は、端縁部に位置する弱め線の終点より側縁部に近い。一部の実施形態では、各補助弱め線は蛇行形である。
【０００６】
さらなる好適な特徴は、各補助弱め線が、隣接した主端フラップ内へ続いていることである。好都合には、各補助弱め線の延長部分は、側縁部に向かって戻るように傾斜し、横方向Ｔ字形カットで終端しており、またＴ字形カットの直立部は、側縁部にほぼ平行であり、Ｔ字形カットの横棒は、端縁部にほぼ平行である。
【０００７】
理想的には、各補助弱め線は、多数の破断可能な保持ブリッジを設けたカットを有する。
【０００８】
好ましくは、仕切りパッドは、他方の端パネル構造部に対して固着されている。好適な実施形態では、仕切りパッドは、折り曲げられた接着パネルをその又は各固着端部に有する。好適な構造では、上部端フラップは、最後に折り曲げられ、それに対応した端パネル構造部のそれに対応したすべての端フラップに、且つ、それに対応した、折り曲げられた接着パネルに接着される。
【０００９】
理想的には、一直線状の接着剤が、上部端フラップを他方の端フラップ及び接着パネルに取り付ける接着を行う。１つのそのような実施形態では、底部端フラップは、中央突出領域を有し、それにより、直線状の接着剤は、側部端フラップの一方、接着パネル、底部端フラップの中央領域、接着パネル及び他方の側部端フラップ上に順に与えられる。
【００１０】
通常は、上部パネル、底部パネル、２つの側部パネル及び２つの端パネル構造部のパネルは、ほぼ矩形であるが、他の構造も考えられる。
【００１１】
次に、本発明の１つの実施形態をより詳細に説明する。説明は、添付図面を参照する。
【発明を実施するための最良の形態】
【００１２】
図１には、組み立てて、一端部を下にして立たせた状態で図７に示されているカートン１２を作製するための１対の板紙ブランク１０、１１が示されている。さまざまな組み立て段階が、図２〜図６に斜視図で示されている。
【００１３】
主ブランク１０は、基本的なカートン形状を形成するために使用され、向き合わせて配置された側部パネル１４、１５にヒンジ接続された上部パネル１３を提供する。側部パネル１５は、糊付けフラップ１７にヒンジ接続されている底部パネル１６にヒンジ接続されている。主ブランク１０は、糊付けフラップ１７を側部パネル１４の自由縁部１８に隣接した領域に接着することによって、ほぼスリーブ形に形成される。
【００１４】
側部端フラップ１９、２０が、ブランク１０の各端部でそれぞれ側部パネル１４、１５にヒンジ接続されている。上部端フラップ２１が、ブランク１０の各端部で上部パネル１３にヒンジ接続され、同様に底部端フラップ２２が、各端部で底部パネル１６にヒンジ接続されている。各底部端フラップ２２は、底部端フラップ２２の隣接自由縁部２４を越えて突出する中央領域２３を有し、その理由は後で明らかになるであろう。
【００１５】
側部パネル１５は、ミシン目などの主弱め線２５によって画定された切り取り部分３３も組み込んでいる。切り取り部分３３は、２６で底部パネル１６内に、２７で上部パネル１３内に部分的に延びている。側部パネル１５の小部分２８が、切り取り部分３３を取り除いた後に残り、それにより、停止壁として作用することを意図されている。ロールアウト機構の他の形式及び形状を、図示のものの代わりに使用することもできるであろう。
【００１６】
第２ブランク１１、すなわち仕切りパッドは、寸法及び形状が主ブランク１０の上部及び底部パネル１３、１６に対応する矩形の主パネル２９を有する。主パネル２９の各端部に、折り曲げられる接着パネル３０がヒンジ接続されている。
【００１７】
カートン１２を組み立てるために、主ブランク１０の糊付けフラップ１７を側部パネル１４に固着して、主ブランク１０を開いて端部開放型スリーブを形成する。次に、一層の缶３１をスリーブに挿入して、図２に示すようにそれらの端部が底部パネル１６上に載るようにする。次に、第２ブランク１１を、図３に示すように挿入して、缶３１の層の上に載せる。次に、第２層の缶３１をスリーブに挿入して、仕切りパッド１１の主パネル２９の上に載せ、接着パネル３０をスリーブの両端部で下向きに折り、それにより、図４に示されているように、下層の缶３１に当てる。次に、各端部の側部端フラップ１９、２０を折り込み、底部端フラップ２２を上向きに折り、各端部で一直線状の接着剤３２を、図５に示されているように、側部端フラップ１９、２０、接着パネル３０及び底部端フラップ２２の中央領域２３に塗布する。次に、各端部で上部端フラップ２１を折り曲げて線状の接着剤３２と接触させ、それにより、接着パネル３０、底部端フラップ２２及び側部端フラップ１９、２０に固着させる。
【００１８】
これにより、カートン１２は、図６に示されているように完全に組み立てられて、すべてのパネルで製品及び販売促進情報、広告、ロゴ、懸賞の詳細などを表示することができる。店では、カートン１２を棚に、消費者の方に面する切り取り部分３３に隣接する端部を下にして載置することができる。これが図７に示されている。したがって、側部パネル１５は、広告ロゴ及び他の情報を表示するのに特に適している。次に、切り取り部分３３を取り除き、それにより、消費者が、図８に示されているように、生じたロールアウト分配穴から缶３１を取り出すことができる。停止壁２８により、缶３１がカートン１２から転がり出ることが防止される。
【００１９】
カートン１２は、それが棚の上に占める水平方向の空間が、従来の缶用シュリンク包装トレイに比べて比較的小さく、また、たとえば側部パネル１５上などに大きい広告／情報領域を提供することができる。
【００２０】
図９には、上記していない詳細を示す。図９のブランクの詳細を見ると、側部パネル１５と上部パネル１３及び底部パネル１６との間の折り目がそれぞれ番号４０及び４１で表されている。停止壁２８に隣接した主弱め線２５は、折り目４０及び４１と交差する。
【００２１】
補助弱め線４２が、切り取り部分３３の延出部２６、２７を画定する主弱め線２５から延びており、そのため、上部パネル１３に１つ、底部パネル１６に１つの補助弱め線４２がある。各補助弱め線４２は、蛇行形であって、使用時に切り取り部分の最下点付近に位置する地点から、上部／底部パネルの、上部端フラップ２１／底部端フラップ２２がヒンジ接続されている端縁部に向かって延びている。端部折り目に位置する補助弱め線の端部４３は、主弱め線２５に隣接する端部より折り目４０／４１から遠い位置にある。
【００２２】
これにより、補助弱め線４２の破断時に、下部前コーナ領域及び停止壁２８が、端部４３を結ぶ線をほぼ中心にしてわずかに前方に回動することができる。これは、缶をより容易に取り出しやすくするが、缶を取り出した後、元の位置に戻る。
【００２３】
図９に示されたさらに好適な特徴は、端フラップ２１、２２内に短い斜めカット４４が、各補助弱め線４２の端部４３の領域のすぐ手前から折り目４０／４１に向かって延びていることである。各斜めカット４４の端部にＴ字形カット４５が設けられ、それの横棒４６は端部折り目に平行であり、それの直立部分４７は折り目４０／４１に平行である。また、カット４５の横棒４６は、それぞれ上部端フラップ２１／底部端フラップ２２の自由縁部４８まで延びている。この特徴は、使用時の下部コーナ領域の移動を助け、且つこの移動中の応力の分散を助ける。
【００２４】
円筒形の商品がカートンに特に適しているが、円筒形の缶だけでなく、他の製品もこのようにパック詰めできることは、理解されるであろう。また、２層以上の缶を収容し、少なくともロールアウト穴に隣接した端パネル構造部に、好ましくは両方の端パネル構造部に固着した仕切りパッドで各層を分離させるように、カートンを変更することもできる。完成カートンの他の組み立て方法も容易に考えられるであろう。
【図面の簡単な説明】
【００２５】
【図１】本発明によるカートンを作製するための２つの板紙ブランクを示す図である。
【図２】本発明によるカートンを形成するために図１のブランクを組み立てる段階を示す端部斜視図である。
【図３】本発明によるカートンを形成するために図１のブランクを組み立てる段階を示す端部斜視図である。
【図４】本発明によるカートンを形成するために図１のブランクを組み立てる段階を示す端部斜視図である。
【図５】本発明によるカートンを形成するために図１のブランクを組み立てる段階を示す端部斜視図である。
【図６】本発明によるカートンを形成するために図１のブランクを組み立てる段階を示す端部斜視図である。
【図７】一端部を下にして立たせた組み立てカートンの側部斜視図である。
【図８】切り取り部分を取り除いてロールアウト穴を画定した状態にある、一端部を下にして立てた組み立てカートンの別の側部斜視図である。
【図９】本発明によるカートンを作製するための好適なブランクの詳細の拡大図である。
【図１】
0004418471.tif 000002
【図２】
0004418471.tif 000003
【図３】
0004418471.tif 000004
【図４】
0004418471.tif 000005
【図５】
0004418471.tif 000006
【図６】
0004418471.tif 000007
【図７】
0004418471.tif 000008
【図８】
0004418471.tif 000009
【図９】
0004418471.tif 000010